(57)【要約】【課題】周波数帯域の異なる信号の指向性を制御して、二つの周波数帯域の信号が互いに干渉し合うのを回避する。【解決手段】デュアルバンドアンテナモジュールは基板と、デュアルバンド無指向性アンテナと、低周波反射モジュールと、高周波反射モジュールとを備える。デュアルバンド無指向性アンテナは基板に垂直に設けられ、第１の周波数を有する第１のＲＦ信号及び第２の周波数を有する第２のＲＦ信号を共振する。低周波反射モジュールは、第１のＲＦ信号を異なる低周波指向制御信号に基づいて反射する三つの低周波反射ユニットを備え、高周波反射モジュールは、第２のＲＦ信号を異なる高周波指向制御信号に基づいて反射する三つの高周波反射ユニットを備える。低周波反射モジュールの低周波反射ユニット及び高周波反射モジュールの高周波反射ユニットは基板上に設けられ、且つデュアルバンド無指向性アンテナの周囲に設けられる。【選択図】図１
2019176464.tif 000002
【特許請求の範囲】
【請求項１】
基板と、
前記基板上に設けられる貫通端子を有しており、第１の周波数を有する第１のＲＦ信号と、前記第１の周波数より高い第２の周波数を有する第２のＲＦ信号を共振するのに用いられ、前記基板上に垂直に設けられるデュアルバンド無指向性アンテナと、
前記デュアルバンド無指向性アンテナが指向モードで動作するときに前記第１の周波数の前記第１のＲＦ信号を選択的に反射するのに用いられ、前記基板上に設けられ、
第１の低周波指向制御信号に基づいて起動されることで前記第１の周波数を有する前記第１のＲＦ信号を反射するのに用いられる第１の低周波反射ユニットと、
第２の低周波指向制御信号に基づいて起動されることで前記第１の周波数を有する前記第１のＲＦ信号を反射するのに用いられる第２の低周波反射ユニットと、
第３の低周波指向制御信号に基づいて起動されることで前記第１の周波数を有する前記第１のＲＦ信号を反射するのに用いられる第３の低周波反射ユニットと、を有する、低周波反射モジュールと、
前記デュアルバンド無指向性アンテナが前記指向モードで動作するときに前記第２の周波数の前記第２のＲＦ信号を選択的に反射するのに用いられ、前記基板上に設けられ、
第１の高周波指向制御信号に基づいて起動されることで前記第２の周波数を有する前記第２のＲＦ信号を反射するのに用いられる第１の高周波反射ユニットと、
第２の高周波指向制御信号に基づいて起動されることで前記第２の周波数を有する前記第２のＲＦ信号を反射するのに用いられる第２の高周波反射ユニットと、
第３の高周波指向制御信号に基づいて起動されることで前記第２の周波数を有する前記第２のＲＦ信号を反射するのに用いられる第３の高周波反射ユニットと、を有する、高周波反射モジュールと、を備える、ことを特徴とするデュアルバンドアンテナモジュール。
【請求項２】
請求項１に記載のデュアルバンドアンテナモジュールであって、
前記第１の低周波反射ユニット、前記第２の低周波反射ユニット、前記第３の低周波反射ユニット、前記第１の高周波反射ユニット、前記第２の高周波反射ユニット及び前記第３の高周波反射ユニットは前記デュアルバンド無指向性アンテナの周囲に設けられ、
前記第１の低周波反射ユニット及び前記第１の高周波反射ユニットは前記デュアルバンド無指向性アンテナの第１側に設けられ、
前記第２の低周波反射ユニット及び前記第２の高周波反射ユニットは前記デュアルバンド無指向性アンテナの第２側に設けられ、
前記第３の低周波反射ユニット及び前記第３の高周波反射ユニットは前記デュアルバンド無指向性アンテナの第３側に設けられ、
前記第１側と前記第２側との夾角、前記第２側と前記第３側との夾角及び前記第３側と前記第１側との夾角がいずれも実質的に同じである。
【請求項３】
請求項２に記載のデュアルバンドアンテナモジュールであって、
前記第１の低周波反射ユニット及び前記第２の低周波反射ユニットが起動されて、且つ前記第３の低周波反射ユニットが起動されていないとき、前記デュアルバンドアンテナモジュールが送出した前記第１のＲＦ信号は前記第３側に指向する。
【請求項４】
請求項２に記載のデュアルバンドアンテナモジュールであって、
前記第１の高周波反射ユニット及び前記第２の高周波反射ユニットが起動されて、且つ前記第３の高周波反射ユニットが起動されていないとき、前記デュアルバンドアンテナモジュールが送出した前記第２のＲＦ信号は前記第３側に指向する。
【請求項５】
請求項１に記載のデュアルバンドアンテナモジュールであって、
前記デュアルバンドアンテナモジュールが前記指向モードで動作するとき、前記デュアルバンドアンテナモジュールが送出した前記第１のＲＦ信号及び前記第２のＲＦ信号が互いに異なる方向に指向することで、前記第１のＲＦ信号と前記第２のＲＦ信号との間の干渉を低減する。
【請求項６】
請求項１に記載のデュアルバンドアンテナモジュールであって、
前記低周波反射モジュールは、前記第１の周波数を有するＲＦ信号を第４の低周波指向制御信号に基づいて反射するのに用いる第４の低周波反射ユニットを更に備え、
前記高周波反射モジュールは、前記第２の周波数を有するＲＦ信号を第４の高周波指向制御信号に基づいて反射するのに用いる第４の高周波反射ユニットを更に備え、
前記第１の低周波反射ユニット、前記第２の低周波反射ユニット、前記第３の低周波反射ユニット、前記第４の低周波反射ユニット、前記第１の高周波反射ユニット、前記第２の高周波反射ユニット、前記第３の高周波反射ユニット及び前記第４の高周波反射ユニットは前記基板上に設けられ、且つ前記デュアルバンド無指向性アンテナの周囲に設けられる。
【請求項７】
請求項６に記載のデュアルバンドアンテナモジュールであって、
前記第１の低周波反射ユニット及び前記第１の高周波反射ユニットは前記デュアルバンド無指向性アンテナの第１側に設けられ、
前記第２の低周波反射ユニット及び前記第２の高周波反射ユニットは前記デュアルバンド無指向性アンテナの第２側に設けられ、
前記第３の低周波反射ユニット及び前記第３の高周波反射ユニットは前記デュアルバンド無指向性アンテナの第３側に設けられ、
前記第４の低周波反射ユニット及び前記第４の高周波反射ユニットは前記デュアルバンド無指向性アンテナの第４側に設けられ、
前記第１側と前記第２側との夾角、前記第２側と前記第３側との夾角、前記第３側と前記第４側との夾角及び前記第４側と前記第１側との夾角がいずれも実質的に同じである。
【請求項８】
請求項７に記載のデュアルバンドアンテナモジュールであって、
前記第１の低周波反射ユニット及び前記第２の低周波反射ユニットが起動されて、且つ前記第３の低周波反射ユニット及び前記第４の低周波反射ユニットが起動されていないとき、前記デュアルバンドアンテナモジュールが送出した前記第１のＲＦ信号は前記第３側と前記第４側との間に指向する。
【請求項９】
請求項７に記載のデュアルバンドアンテナモジュールであって、
前記第１の高周波反射ユニット及び前記第２の高周波反射ユニットが起動されて、且つ前記第３の高周波反射ユニット及び前記第４の高周波反射ユニットが起動されていないとき、前記デュアルバンドアンテナモジュールが送出した前記第２のＲＦ信号は前記第３側と前記第４側との間に指向する。
【請求項１０】
請求項６に記載のデュアルバンドアンテナモジュールであって、第１のプリント回路板と第２のプリント回路板とを更に備えており、
前記第１のプリント回路板及び前記第２のプリント回路板は互いに交差して係合するとともに前記基板上に直立しており、
前記デュアルバンド無指向性アンテナは前記第１のプリント回路板上に形成されるとともに前記第１のプリント回路板と前記第２のプリント回路板との交差箇所に位置して前記基板上に垂直に設けられ、
前記第１の低周波反射ユニット、前記第１の高周波反射ユニット、前記第３の低周波反射ユニット及び前記第３の高周波反射ユニットは前記第１のプリント回路板上に形成され、
前記第２の低周波反射ユニット、前記第２の高周波反射ユニット、前記第４の低周波反射ユニット及び前記第４の高周波反射ユニットは前記第２のプリント回路板上に形成される。
【請求項１１】
請求項１に記載のデュアルバンドアンテナモジュールであって、前記デュアルバンド無指向性アンテナは、
前記貫通端子に結合される底部細端を有しており、且つ前記第１のＲＦ信号を送出するのに用いられ、前記基板に直立されるＴ型ブラケットと、
前記貫通端子に結合されるとともに、前記第２のＲＦ信号を送出するのに用いられ、前記Ｔ型ブラケットの底部の両側に対称に設けられる一対の延出ブラケットと、を備える。
【請求項１２】
請求項１に記載のデュアルバンドアンテナモジュールであって、前記第１の高周波反射ユニットは、
凸型反射素子と、
前記第１の高周波指向制御信号を受信するのに用いられる第１のバイアス端子と、
前記第１のバイアス端子に結合されて前記第１の高周波指向制御信号を受信するのに用いられる第１端子と、前記凸型反射素子に結合される第２端子とを有する第１のインダクタと、
前記凸型反射素子に結合されるアノードと、グランド端子に結合されるカソードとを有する第１のダイオードと、を備える。
【請求項１３】
請求項１２に記載のデュアルバンドアンテナモジュールであって、前記第１の低周波反射ユニットは、
前記第１の低周波指向制御信号を受信するのに用いられる第２のバイアス端子と、
前記第２のバイアス端子に結合されて前記第１の低周波指向制御信号を受信するのに用いられる第１端子と、第２端子とを有する第２のインダクタと、
アノードと、グランド端子に結合されるカソードとを有する第２のダイオードと、
短腕部が前記第２のダイオードの前記アノード及び前記第２のインダクタの前記第２端子に結合するとともに、前記基板に垂直となり、長腕部が前記基板に平行となるＬ型反射素子と、を備える。
【請求項１４】
請求項１に記載のデュアルバンドアンテナモジュールであって、
前記第２の周波数が実質的に５ＧＨｚであり、及び前記第１の周波数が実質的に２.４ＧＨｚである。
【請求項１５】
請求項１４に記載のデュアルバンドアンテナモジュールであって、
前記第１の低周波反射ユニットの高さが前記第２のＲＦ信号の波長の０.０９倍ないし０.１２倍の間である。
【請求項１６】
請求項１４に記載のデュアルバンドアンテナモジュールであって、
前記第１の高周波反射ユニットと前記デュアルバンド無指向性アンテナの前記貫通端子との間の距離が実質的に１６ｍｍないし１８ｍｍの間であり、
前記第１の低周波反射ユニットと前記デュアルバンド無指向性アンテナの前記貫通端子との間の距離が実質的に３６ｍｍないし３８ｍｍの間である。
【発明の詳細な説明】
【技術分野】
【０００１】
本発明はデュアルバンドアンテナモジュールに関し、特に二つの周波数帯域信号が互いに干渉し合うのを回避することができるデュアルバンドアンテナモジュールである。
【背景技術】
【０００２】
使用者のネットワーク通信に対するニーズが高まるのに伴い、電子製品では異なる規格のネットワーク通信プロトコルをサポートする必要性があることから、タイプの異なるネットワーク信号に対応すべく異なるアンテナモジュールを必要とすることが常である。例えば、第３世代移動通信技術（３Ｇ）、Ｂｌｕｅｔｏｏｔｈ（登録商標）及びＷｉＦｉ等の無線通信をサポートする必要性がある電子製品では、各々の無線通信の周波数帯域は各々異なるため、異なるアンテナで信号を送受信しなければならない可能性がある。
【０００３】
しかしながら、このような、複数の異なるアンテナモジュールを備える電子製品においても、携帯性に対する使用者のニーズがますます高まるのに伴って、軽量化及び薄型化を達成することが求められているが、日増しに複雑となる電子製品ではアンテナモジュールを収容する大きな空間を提供するのは難しくなっている。このような厳しい空間制限の下では、アンテナモジュールの設計及び設置は、より困難となっている。従来技術においては、デュアルバンドアンテナモジュールは、小さな空間内で周波数帯域の異なる信号を共振することで空間不足の問題を解決するが、実際の運用時には、異なる周波数帯域の信号が互いに干渉し合うのを回避するために、周波数帯域の異なる信号の指向性を任意に制御するのは難しく、使用上の不便を来しているという問題があった。
【発明の概要】
【発明が解決しようとする課題】
【０００４】
本発明は、上記の問題点を解決するためのものであり、周波数帯域の異なる信号の指向性を制御して、二つの周波数帯域の信号が互いに干渉し合うのを回避させるものである。
【課題を解決するための手段】
【０００５】
本発明の一実施例では、基板と、デュアルバンド無指向性アンテナと、低周波反射モジュール、高周波反射モジュールとを備えるデュアルバンドアンテナモジュールを提供する。
【０００６】
デュアルバンドアンテナモジュールは、基板上に設けられる貫通端子を有しており、第１の周波数を有する第１のＲＦ信号と、第１の周波数より高い第２の周波数を有する第２のＲＦ信号を共振するのに用いられ、基板上に垂直に設けられる。
【０００７】
低周波反射モジュールは、デュアルバンド無指向性アンテナが指向モードで動作するときに第１の周波数の第１のＲＦ信号を選択的に反射するのに用いられ、基板上に設けられる。低周波反射モジュールは、第１の低周波反射ユニットと、第２の低周波反射ユニットと、第３の低周波反射ユニットとを備える。第１の低周波反射ユニットは、第１の低周波指向制御信号に基づいて起動されることで第１の周波数を有するＲＦ信号を反射する。第２の低周波反射ユニットは、第２の低周波指向制御信号に基づいて起動されることで第１の周波数を有するＲＦ信号を反射する。第３の低周波反射ユニットは、第３の低周波指向制御信号に基づいて起動されることで第１の周波数を有するＲＦ信号を反射する。
【０００８】
高周波反射モジュールは、デュアルバンド無指向性アンテナが指向モードで動作するときに第２の周波数の第２のＲＦ信号を選択的に反射するのに用いられ、基板上に設けられる。高周波反射モジュールは、第１の高周波反射ユニットと、第２の高周波反射ユニットと、第３の高周波反射ユニットとを備える。第１の高周波反射ユニットは第１の高周波指向制御信号に基づいて起動されることで第２の周波数を有するＲＦ信号を反射する。第２の高周波反射ユニットは第２の高周波指向制御信号に基づいて起動されることで第２の周波数を有するＲＦ信号を反射する。第３の高周波反射ユニットは第３の高周波指向制御信号に基づいて起動されることで第２の周波数を有するＲＦ信号を反射する。
【０００９】
第１の低周波反射ユニット、第２の低周波反射ユニット、第３の低周波反射ユニット、第１の高周波反射ユニット、第２の高周波反射ユニット及び第３の高周波反射ユニットは基板上に設けられ、且つデュアルバンド無指向性アンテナの周囲に設けられる。
【発明の効果】
【００１０】
本発明は、低周波反射モジュール及び高周波反射モジュールの個別動作により、異なる周波数帯域の信号が異なる方向を指向可能となるように制御して、異なる周波数帯域の信号が互いに干渉し合うのを回避し、使用上の柔軟性を向上する。
【図面の簡単な説明】
【００１１】
【図１】本発明の一実施例のデュアルバンドアンテナモジュールの概略図である。
【図２】図１のデュアルバンドアンテナモジュールの第１のプリント回路板の概略図である。
【図３】図１のデュアルバンドアンテナモジュールの第２のプリント回路板の概略図である。
【図４】本発明の他の実施例のデュアルバンドアンテナモジュールの概略図である。
【発明を実施するための形態】
【００１２】
図１は、本発明の一実施例のデュアルバンドアンテナモジュール１００の概略図である。デュアルバンドアンテナモジュール１００は、基板１１０と、デュアルバンド無指向性アンテナ１２０と、低周波反射モジュール１３０と、高周波反射モジュール１４０とを備える。
【００１３】
デュアルバンド無指向性アンテナ１２０は、第１の周波数を有する第１のＲＦ信号及び第２の周波数を有する第２のＲＦ信号を共振するとともに、無指向性の方式でＲＦ信号を送出することができる。第２の周波数及び第１の周波数は、異なるＲＦ周波数であり、例えば、第２の周波数の帯域は第１の周波数の帯域よりも高くすることができ、例えばＷｉ-Ｆｉにて第２の周波数の帯域は５ＧＨｚとして、第１の周波数の帯域は２.４ＧＨｚとすることができる。
【００１４】
図１において、デュアルバンド無指向性アンテナ１２０の貫通端子１２０Ａは、基板１１０上に設けることができ、しかも、デュアルバンド無指向性アンテナ１２０は、基板１１０に垂直に設けることで、垂直偏波の方式で共振を発生することができる。本発明の一部実施例において、デュアルバンド無指向性アンテナ１２０は、Ｔ型ブラケット１２２と、一対の延出ブラケット１２４とを備えることができる。Ｔ型ブラケット１２２の底部細端は、貫通端子１２０Ａに結合して、且つ、Ｔ型ブラケット１２２は、その底部細端から基板１１０の平面の法線方向に向いており、つまり、図１中のＺ軸方向に延出して、基板１１０上に直立するとともに、第１の周波数を有する第１のＲＦ信号を共振することができる。
【００１５】
延出ブラケット１２４もまた、貫通端子１２０Ａに結合されるとともに、Ｔ型ブラケット１２２の底部両側に対称に設けられており、例えば、Ｔ型ブラケット１２２の＋Ｘ方向及び−Ｘ方向に設けられるとともに、第２の周波数を有する第２のＲＦ信号を共振することができる。
【００１６】
確かに、デュアルバンド無指向性アンテナ１２０は、無指向性の方式で信号を送出するが、デュアルバンドアンテナモジュール１００は、低周波反射モジュール１３０及び高周波反射モジュール１４０により、異なる周波数帯域の信号の指向性をそれぞれ制御することができる。
【００１７】
図１にて、低周波反射モジュール１３０は、第１の低周波反射ユニット１３２と、第２の低周波反射ユニット１３４と、第３の低周波反射ユニット１３６と、第４の低周波反射ユニット１３８とを備えることができる。第１の低周波反射ユニット１３２は、第１の低周波指向制御信号に基づいて起動されることで、第１の周波数を有する第１のＲＦ信号を反射する。第２の低周波反射ユニット１３４は、第２の低周波指向制御信号に基づいて起動されることで、第１の周波数を有する第１のＲＦ信号を反射する。第３の低周波反射ユニット１３６は、第３の低周波指向制御信号に基づいて起動されることで、第１の周波数を有する第１のＲＦ信号を反射する。第４の低周波反射ユニット１３８は、第４の低周波指向制御信号に基づいて起動されることで、第１の周波数を有する第１のＲＦ信号を反射する。
【００１８】
また、第１の低周波反射ユニット１３２、第２の低周波反射ユニット１３４、第３の低周波反射ユニット１３６及び第４の低周波反射ユニット１３８は、基板１１０上に設けられ、且つ、デュアルバンド無指向性アンテナ１２０の周囲に設けることができる。第１の低周波反射ユニット１３２、第２の低周波反射ユニット１３４、第３の低周波反射ユニット１３６及び第４の低周波反射ユニット１３８は、それぞれデュアルバンド無指向性アンテナ１２０の互いに異なる方向上に位置していることから、第１の低周波反射ユニット１３２、第２の低周波反射ユニット１３４、第３の低周波反射ユニット１３６及び第４の低周波反射ユニット１３８が起動されるとともに、第１の周波数を有する第１のＲＦ信号を反射するときに、前記方向上で第１の周波数を有する第１のＲＦ信号の強度を減少することができるので、低周波指向制御信号により特定の低周波反射ユニットを起動して、デュアルバンドアンテナモジュール１００が第１のＲＦ信号を送出する指向性を効果的に調整することができる。
【００１９】
例えば、図１にて、第１の低周波反射ユニット１３２は、デュアルバンド無指向性アンテナ１２０の第１側に設けて、第２の低周波反射ユニット１３４は、デュアルバンド無指向性アンテナ１２０の第２側に設けて、第３の低周波反射ユニット１３６は、デュアルバンド無指向性アンテナ１２０の第３側に設けて、そして、第４の低周波反射ユニット１３８は、デュアルバンド無指向性アンテナ１２０の第４側に設けることができる。また、第１側と第２側との夾角、第２側と第３側との夾角、第３側と第４側との夾角及び第４側と第１側との夾角は、実質的に同じである。つまり、これらの夾角は、実質的に９０度となっている。例えば、図１にて、デュアルバンド無指向性アンテナ１２０の第１側は、デュアルバンド無指向性アンテナ１２０の０°方向として、デュアルバンド無指向性アンテナ１２０の第２側は、デュアルバンド無指向性アンテナ１２０の９０°方向として、デュアルバンド無指向性アンテナ１２０の第３側は、デュアルバンド無指向性アンテナ１２０の１８０°方向として、デュアルバンド無指向性アンテナ１２０の第４側は、デュアルバンド無指向性アンテナ１２０の２７０°方向とすることができる。
【００２０】
この場合に、第１の低周波反射ユニット１３２及び第２の低周波反射ユニット１３４が起動されるとともに、第１の周波数を有するＲＦ信号の反射を開始し、且つ、第３の低周波反射ユニット１３６及び第４の低周波反射ユニット１３８が起動されていないときには、デュアルバンドアンテナモジュール１００が送出した第１のＲＦ信号は、デュアルバンド無指向性アンテナ１２０の第３側と第４側との間、つまり、１８０°方向と２７０°方向との間の２２５°方向上に指向する。つまり、もしデュアルバンドアンテナモジュール１００が送出した第１のＲＦ信号をある特定方向に指向させたいのであれば、対応する低周波指向制御信号により、前記特定方向の反対方向上の低周波反射ユニットを起動し、これによって、前記反対方向上のＲＦ信号の強度を減衰させて、デュアルバンドアンテナモジュール１００は、前記特定方向を指向するように、第１のＲＦ信号を送出することができる。
【００２１】
類似するように、高周波反射モジュール１４０は、第１の高周波反射ユニット１４２と、第２の高周波反射ユニット１４４と、第３の高周波反射ユニット１４６と、第４の高周波反射ユニット１４８とを備えることができる。第１の高周波反射ユニット１４２は、第１の高周波指向制御信号に基づいて起動されることで、第２の周波数を有する第２のＲＦ信号を反射し、第２の高周波反射ユニット１４４は、第２の高周波指向制御信号に基づいて起動されることで、第２の周波数を有する第２のＲＦ信号を反射し、第３の高周波反射ユニット１４６は、第３の高周波指向制御信号に基づいて起動されることで、第２の周波数を有する第２のＲＦ信号を反射し、そして、第４の高周波反射ユニット１４８は、第４の高周波指向制御信号に基づいて起動されることで、第２の周波数を有する第２のＲＦ信号を反射することができる。また、第１の高周波反射ユニット１４２、第２の高周波反射ユニット１４４、第３の高周波反射ユニット１４６及び第４の高周波反射ユニット１４８は、基板１１０上に設けられ、且つ、デュアルバンド無指向性アンテナ１２０の周囲に設けることができる。
【００２２】
第１の高周波反射ユニット１４２、第２の高周波反射ユニット１４４、第３の高周波反射ユニット１４６及び第４の高周波反射ユニット１４８は、それぞれデュアルバンド無指向性アンテナ１２０の互いに異なる方向上に位置していることから、第１の高周波反射ユニット１４２、第２の高周波反射ユニット１４４、第３の高周波反射ユニット１４６及び第４の高周波反射ユニット１４８が起動されるとともに、第２の周波数を有するＲＦ信号を反射するときに、前記方向上で第２の周波数を有するＲＦ信号の強度を減少することができるので、高周波指向制御信号により特定の高周波反射ユニットを起動して、デュアルバンドアンテナモジュール１００が第２のＲＦ信号を送出する指向性を、効果的に調整することができる。
【００２３】
例えば、図１にて、第１の高周波反射ユニット１４２は、第１の低周波反射ユニット１３２と同様に、デュアルバンド無指向性アンテナ１２０の第１側に設けられて、第２の高周波反射ユニット１４４は、第２の低周波反射ユニット１３４と同様に、デュアルバンド無指向性アンテナ１２０の第２側に設けられて、第３の高周波反射ユニット１４６は、第３の低周波反射ユニット１３６と同様に、デュアルバンド無指向性アンテナ１２０の第３側に設けられて、そして、第４の高周波反射ユニット１４８は、第４の低周波反射ユニット１３８と同様に、デュアルバンド無指向性アンテナ１２０の第４側に設けられることができる。
【００２４】
この場合に、第１の高周波反射ユニット１４２及び第２の高周波反射ユニット１４４が起動されるとともに、第２の周波数を有するＲＦ信号の反射を開始し、且つ、第３の高周波反射ユニット１４６及び第４の高周波反射ユニット１４８が起動されていないときには、デュアルバンドアンテナモジュール１００が送出した第２のＲＦ信号は、デュアルバンド無指向性アンテナ１２０の第３側と第４側との間に指向する。
【００２５】
つまり、もし、デュアルバンドアンテナモジュール１００が送出した第２のＲＦ信号を、ある特定方向に指向させたいのであれば、対応する高周波指向制御信号により前記特定方向の反対方向上の高周波反射ユニットを起動し、これによって、前記反対方向上のＲＦ信号の強度を減衰させて、デュアルバンドアンテナモジュール１００は、前記特定方向を指向するように第２のＲＦ信号を送出することができる。
【００２６】
また、低周波反射モジュール１３０と高周波反射モジュール１４０とが、個別動作することができる。そのため、一部実施例においては、デュアルバンドアンテナモジュール１００が指向モードで動作するときに、デュアルバンドアンテナモジュール１００が送出する第１のＲＦ信号及び第２のＲＦ信号を使用者のニーズに基づいて、異なる方向に同時に指向させることができる。例えば、第１の低周波反射ユニット１３２及び第２の低周波反射ユニット１３４が起動されて、且つ、第３の低周波反射ユニット１３６及び第４の低周波反射ユニット１３８が起動されていないときに、デュアルバンドアンテナモジュール１００が送出した第１のＲＦ信号は、デュアルバンド無指向性アンテナ１２０の第３側と第４側との間の２２５°方向上に指向する。しかし、同時に、もし、第３の高周波反射ユニット１４６及び第４の高周波反射ユニット１４８が起動されて、且つ、第１の高周波反射ユニット１４２及び第２の高周波反射ユニット１４４が起動されていなければ、デュアルバンドアンテナモジュール１００が送出した第２のＲＦ信号は、デュアルバンド無指向性アンテナ１２０の第１側と第２側との間の４５°方向上に指向する。つまり、第１のＲＦ信号及び第２のＲＦ信号は、異なる方向を指向することになる。本発明のその他の実施例において、デュアルバンドアンテナモジュール１００が送出する第１の無線ＲＦ信号及び第２の無線ＲＦ信号もまた、使用者のニーズに基づいて、異なる方向に同時に指向させることができる。
【００２７】
図１の実施例において、デュアルバンドアンテナモジュール１００は、第１のプリント回路板１５０と、第２のプリント回路板１６０とを備えることができる。第１のプリント回路板１５０及び第２のプリント回路板１６０は、互いに交差して係合するとともに、基板１１０上に直立している。そして、デュアルバンド無指向性アンテナ１２０は、第１のプリント回路板１５０上に形成され、且つ、第１のプリント回路板１５０と第２のプリント回路板１６０との交差箇所に位置して、基板１１０上に垂直に設けることができる。つまり、デュアルバンド無指向性アンテナ１２０のＴ型ブラケット１２２及び一対の延出ブラケット１２４は、いずれも第１のプリント回路板１５０上に実装することができる。
【００２８】
また、第１の低周波反射ユニット１３２、第１の高周波反射ユニット１４２、第３の低周波反射ユニット１３６及び第３の高周波反射ユニット１４６は、第１のプリント回路板１５０に形成され、そして、第２の低周波反射ユニット１３４、第２の高周波反射ユニット１４４、第４の低周波反射ユニット１３８及び第４の高周波反射ユニット１４８は、第２のプリント回路板１６０に形成されることができる。
【００２９】
図２は、本発明の一実施例の第１のプリント回路板１５０の概略図であり、そして、図３は、本発明の一実施例の第２のプリント回路板１６０の概略図である。図２及び図３の実施例において、第１のプリント回路板１５０及び第２のプリント回路板１６０の中間箇所には、係合構造Ａ及びＢが設けられているため、交差係合して図１に示すデュアルバンドアンテナモジュール１００を合成することができる。
【００３０】
図２において、第１の高周波反射ユニット１４２は、凸型反射素子１４２Ａと、第１のバイアス端子１４２Ｂと、第１のインダクタ１４２Ｃと、第１のダイオード１４２Ｄとを備えることができる。第１のバイアス端子１４２Ｂは、第１の高周波指向制御信号ＳＩＧＨＣ１を受信することができる。第１のインダクタ１４２Ｃは、第１端子と第２端子とを有しており、第１のインダクタ１４２Ｃの第１端子は、第１のバイアス端子１４２Ｂに結合されることで、第１の高周波指向制御信号ＳＩＧＨＣ１を受信し、そして、第１のインダクタ１４２Ｃの第２端子は、凸型反射素子１４２Ａに結合することができる。第１のダイオード１４２Ｄは、アノードとカソードとを有しており、第１のダイオード１４２Ｄのアノードは、凸型反射素子１４２Ａに結合し、そして、第１のダイオード１４２Ｄのカソードは、グランド端子ＧＮＤに結合することができる。
【００３１】
使用者が、第１の高周波反射ユニット１４２にて第２の周波数を有する第２のＲＦ信号を反射させたいときには、対応する第１の高周波指向制御信号ＳＩＧＨＣ１を出力することで第１のダイオード１４２Ｄを導通するが、このとき、第１のバイアス端子１４２Ｂとグランド端子ＧＮＤとの間に電圧回路が形成されて、凸型反射素子１４２Ａを接地するので、第１の高周波反射ユニット１４２を起動して第２の周波数を有するＲＦ信号を反射することができる。また、第１のインダクタ１４２Ｃは、外部のＲＦ信号が第１のバイアス端子１４２Ｂを通過して、回路が損傷するのを回避して、同時に第１の高周波指向制御信号ＳＩＧＨＣ１を通過させることで、第１のダイオード１４２Ｄを効果的に導通又は切断することができる。
【００３２】
第１の低周波反射ユニット１３２は、Ｌ型反射素子１３２Ａと、第２のバイアス端子１３２Ｂと、第２のインダクタ１３２Ｃと、第２のダイオード１３２Ｄとを備えることができる。第２のバイアス端子１３２Ｂは、第１の低周波指向制御信号ＳＩＧＬＣ１を受信することができる。第２のインダクタ１３２Ｃは、第１端子と第２端子とを有しており、第２のインダクタ１３２Ｃの第１端子は、第２のバイアス端子１３２Ｂに結合されることで、第１の低周波指向制御信号ＳＩＧＬＣ１を受信することができる。第２のダイオード１３２Ｄは、アノードとカソードとを有しており、そして、第２のダイオード１３２Ｄのカソードは、グランド端子ＧＮＤに結合することができる。Ｌ型反射素子１３２Ａの短腕部１３２Ａ１は、第２のダイオード１３２Ｄのアノード及び第２のインダクタ１３２Ｃの第２端子に結合するとともに、基板１１０に垂直とすることができ、そして、Ｌ型反射素子１３２Ａの長腕部１３２Ａ２は、基板１１０に平行となる。
【００３３】
使用者が第１の低周波反射ユニット１３２にて第１の周波数を有する第１のＲＦ信号を反射させたいときには、対応する第１の低周波指向制御信号ＳＩＧＬＣ１を出力することで、第２のダイオード１３２Ｄを導通するが、このとき第２のバイアス端子１３２Ｂとグランド端子ＧＮＤとの間に電圧回路が形成されて、Ｌ型反射素子１３２Ａを接地するので、第１の低周波反射ユニット１３２を起動して、第１の周波数を有するＲＦ信号を反射することができる。また、第２のインダクタ１３２Ｃは、外部のＲＦ信号が第２のバイアス端子１３２Ｂを通過して回路が損傷するのを回避して、同時に、第１の低周波指向制御信号ＳＩＧＬＣ１を通過させることで、第２のダイオード１３２Ｄを効果的に導通又は切断することができる。
【００３４】
信号を効果的に反射するために、低周波反射モジュール１３０及び高周波反射モジュール１４０は、デュアルバンド無指向性アンテナ１２０から１/４波長離れた位置に対応して設けることができ、例えば、もし、第１のＲＦ信号の第１の周波数帯域が２.４ＧＨｚであれば、第１の高周波反射ユニット１４２とデュアルバンド無指向性アンテナ１２０の貫通端子１２０Ａとの距離は、実質的に１６ｍｍないし１８ｍｍの間とすることができ、そして、第１の低周波反射ユニット１３２とデュアルバンド無指向性アンテナ１２０の貫通端子１２０Ａとの間の距離は、実質的に３６ｍｍないし３８ｍｍの間とすることができる。つまり、第１の低周波反射ユニット１３２、第２の低周波反射ユニット１３４、第３の低周波反射ユニット１３６及び第４の低周波反射ユニット１３８は、それぞれ第１の高周波反射ユニット１４２、第２の高周波反射ユニット１４４、第３の高周波反射ユニット１４６及び第４の高周波反射ユニット１４８の外側に設けられる。
【００３５】
また、低周波反射モジュール１３０が起動時に高周波信号の強度に影響するのを回避するために、低周波反射モジュール１３０の低周波反射ユニットの高さを、第１のＲＦ信号の波長の０.０９倍ないし０.１２倍の間とすることで、高さが高すぎた時に、高周波信号の放射パターンを遮断するのを回避し、同時に、高さが低すぎた時に、反射効果が劣るというのも回避する。例えば、もし、第１のＲＦ信号の第１の周波数帯域が２.４ＧＨｚであれば、第１の低周波反射ユニットの高さは、例えば、１０ｍｍとすることができる。つまり、Ｌ型反射素子１３２Ａの短腕部１３２Ａ１は、例えば、デュアルバンド無指向性アンテナ１２０から３６ｍｍ離れた箇所でＺ軸方向に向けて１０ｍｍ延出し、そして、Ｌ型反射素子１３２Ａの長腕部１３２Ａ２は、基板１１０の平面と平行する方向でデュアルバンド無指向性アンテナ１２０に向けて１２ｍｍ延出する。
【００３６】
図１ないし図３の実施例において、第１の低周波反射ユニット１３２、第２の低周波反射ユニット１３４、第３の低周波反射ユニット１３６及び第４の低周波反射ユニット１３８は、同じ構造を有し、そして、第１の高周波反射ユニット１４２、第２の高周波反射ユニット１４４、第３の高周波反射ユニット１４６及び第４の高周波反射ユニット１４８も、同じ構造を有することができる。
【００３７】
また、本発明の一部実施例において、送出する信号の指向性をデュアルバンドアンテナモジュール１００がより正確に調整できるようにするために、低周波反射モジュール１３０及び高周波反射モジュール１４０は、数がより多い低周波反射ユニット及び高周波反射ユニットを更に備えるとともに、デュアルバンド無指向性アンテナ１２０からを中心として囲む。これにより、デュアルバンド無指向性アンテナ１２０の特定方向上での低周波反射ユニット又は高周波反射ユニットが起動されることで、対応するＲＦ信号を反射するとき、前記特定方向上のＲＦ信号を反射して、デュアルバンド無指向性アンテナ１２０が送出した信号を、実質的に前記特定方向の反対方向に指向させる。
【００３８】
更に、本発明の一部実施例において、低周波反射モジュール１３０及び高周波反射モジュール１４０も、システムのニーズに応じて、低周波反射ユニット及び高周波反射ユニットの個数を減らしてもよい。図４は、本発明の一実施例のデュアルバンドアンテナモジュール２００の概略図である。デュアルバンドアンテナモジュール２００とデュアルバンドアンテナモジュール１００は、類似した構造及び動作原理を有している。しかし、主に、デュアルバンドアンテナモジュール２００の低周波反射モジュール２３０は、第１の低周波反射ユニット２３２と、第２の低周波反射ユニット２３４と、第３の低周波反射ユニット２３６とを備えるのみであり、デュアルバンドアンテナモジュール２００の高周波反射モジュール２４０は、第１の高周波反射ユニット２４２と、第２の高周波反射ユニット２４４と、第３の高周波反射ユニット２４６とを備えるのみであるというところで相違している。
【００３９】
第１の低周波反射ユニット２３２、第２の低周波反射ユニット２３４、第３の低周波反射ユニット２３６、第１の高周波反射ユニット２４２、第２の高周波反射ユニット２４４及び第３の高周波反射ユニット２４６は、基板２１０上に設けられ、且つ、デュアルバンド無指向性アンテナ２２０の周囲に設けることができる。
【００４０】
図４にて、第１の低周波反射ユニット２３２及び第１の高周波反射ユニット２４２は、デュアルバンド無指向性アンテナ２２０の第１側、例えば、図４に示す０°方向上に設けることができ、第２の低周波反射ユニット２３４及び第２の高周波反射ユニット２４４は、デュアルバンド無指向性アンテナ２２０の第２側、例えば図４に示す１２０°方向上に設けることができ、そして、第３の低周波反射ユニット２３６及び第３の高周波反射ユニット２４６は、デュアルバンド無指向性アンテナ２２０の第３側、例えば、図４に示す２４０°方向上に設けることができる。つまり、デュアルバンド無指向性アンテナ２２０の第１側と第２側との夾角、デュアルバンド無指向性アンテナ２２０の第２側と第３側との夾角及びデュアルバンド無指向性アンテナ２２０の第３側と第１側との夾角は、いずれも実質的に１２０°となっている。
【００４１】
この場合に、第１の高周波反射ユニット２４２及び第２の高周波反射ユニット２４４が起動されて、且つ、第３の高周波反射ユニット２４６が起動されていないときには、デュアルバンドアンテナモジュール２００が送出した第２のＲＦ信号は、デュアルバンド無指向性アンテナ２２０の第３側、つまり、図４に示す２４０°方向上に指向する。
【００４２】
類似するように、第１の低周波反射ユニット２３２及び第２の低周波反射ユニット２３４が起動されて、且つ、第３の低周波反射ユニット２３６が起動されていないときに、デュアルバンドアンテナモジュール２００が送出した第１のＲＦ信号は、デュアルバンド無指向性アンテナ２２０の第３側、つまり、図４に示す２４０°方向上に指向する。
【００４３】
つまり、低周波反射モジュール２３０及び高周波反射モジュール２４０により、デュアルバンドアンテナモジュール２００は、異なる周波数帯域の信号の指向性を個別に制御することができる。
【００４４】
上記をまとめるに、本発明の実施例で提供するデュアルバンドアンテナモジュールは、低周波反射モジュールと高周波反射モジュールとを備えることができ、低周波反射モジュール及び高周波反射モジュールは、デュアルバンド無指向性アンテナをその中心に囲むことができるとともに、ある特定方向上の低周波反射ユニット又は高周波反射ユニットを起動して、前記特定方向上に送出されたＲＦ信号が反射されるとともに、これにより送出信号の指向性を制御する。また、低周波反射モジュール及び高周波反射モジュールの個別動作することができるため、異なる周波数帯域の信号が異なる方向を指向することができ、使用上の柔軟性を一層向上する。
上記したものは、本発明の好ましい実施例であって、本発明の特許請求の範囲により行った等価の変化及び付加は、いずれも本発明のカバー範囲に含まれる。
【産業上の利用可能性】
【００４５】
本発明で提供するデュアルバンドアンテナモジュールは、低周波反射モジュール及び高周波反射モジュールがデュアルバンド無指向性アンテナを、その中心に囲むとともに、ある特定方向上の低周波反射ユニット又は高周波反射ユニット起動して、前記特定方向上に送出されたＲＦ信号が反射されるとともに、これにより送出信号の指向性を個別に制御する。
【符号の説明】
【００４６】
１００、２００    デュアルバンドアンテナモジュール
１１０、２１０    基板
１２０、２２０    デュアルバンド無指向性アンテナ
１２２            Ｔ型ブラケット
１２４            延出ブラケット
１２０Ａ          貫通端子
１３０、２３０    低周波反射モジュール
１３２、２３２    第１の低周波反射ユニット
１３４、２３４    第２の低周波反射ユニット
１３６、２３６    第３の低周波反射ユニット
１３８            第４の低周波反射ユニット
１４０、２４０    高周波反射モジュール
１４２、２４２    第１の高周波反射ユニット
１４４、２４４    第２の高周波反射ユニット
１４６、２４６    第３の高周波反射ユニット
１４８            第４の高周波反射ユニット
１５０            第１のプリント回路板
１６０            第２のプリント回路板
１４２Ａ          凸型反射素子
１４２Ｂ          第１のバイアス端子
１４２Ｃ          第１のインダクタ
１４２Ｄ          第１のダイオード
１３２Ａ          Ｌ型反射素子
１３２Ａ１        短腕部
１３２Ａ２        長腕部
１３２Ｂ          第２のバイアス端子
１３２Ｃ          第２のインダクタ
１３２Ｄ          第２のダイオード
Ａ、Ｂ            係合構造
【図１】
2019176464.tif 000003
【図２】
2019176464.tif 000004
【図３】
2019176464.tif 000005
【図４】
2019176464.tif 000006